(57)【要約】 【課題】  周囲の適切な位置から伸張する安定化機構を有するバーナを提供すること。【解決手段】  安定化機構が、安定スロットを形成する２つのシェルフスライスを有し、前記シェルフスライスが、間に伸張する接続部分を有し、圧電装置が、圧電モジュールを内部に有する２つのシェルを供えるモジュラ本体であり、前記圧電モジュールの内端が、前記主本体に接し、他端が、押しボタンの回りに巻かれ、かつ伸張する導電ロッドを有し、前記導電ロッドが、バーナキャップから離れており、強化スライスが、前記接続部分に対応し、前記モジュラ本体が、自由に前記安定スロットから取り外され、または前記安定スロットに接合され、前記接続部分が、前記強化スライスに固定され、または前記強化スライスから取り外され、使用者が、前記押しボタンを押して、前記導電ロッド前記バーナキャップとの間にスパークを生成して燃料に点火すること。【選択図】  図１
0003102696.tif 000002
【実用新案登録請求の範囲】
【請求項１】
安定化機構を適切な位置に有するバーナであって、前記安定化機構が、安定スロットを形成する２つのシェルフスライスを有し、前記シェルフスライスが、間に伸張する接続部分を有し、圧電装置が、圧電モジュールを内部に有する２つのシェルを供えるモジュラ本体であり、前記圧電モジュールの内端が、前記主本体に接し、他端が、押しボタンの回りに巻かれ、かつ伸張する導電ロッドを有し、前記導電ロッドが、バーナキャップから離れており、強化スライスが、前記接続部分に対応し、前記モジュラ本体が、自由に前記安定スロットから取り外され、または前記安定スロットに接合され、前記接続部分が、前記強化スライスに固定され、または前記強化スライスから取り外され、使用者が、前記押しボタンを押して、前記導電ロッド前記バーナキャップとの間にスパークを生成して燃料に点火することを特徴とするバーナ。
【請求項２】
前記バーナが、担持ラックを備え、前記担持ラックの中央が、前記格納タンクに接続され、燃料が、前記担持ラックの流体トンネルの中に充填されて、注入管から注入されることを特徴とする請求項１に記載のバーナ。
【請求項３】
シャフトが、それぞれ、上にねじ穴を有する前記担持ラックの両側面から突出し、かつフードに接続され、少なくとも１つの突出点が、接触面積をより小さくするために前記フードの内壁に接するように、前記シャフトの上にかつ前記ねじ穴に隣接してあることを特徴とする請求項２に記載のバーナ。
【請求項４】
プラットフォームを備える前記バーナが、前記注入管および前記シャフトが通過するように、前記格納タンクの上に固定され、少なくとも２つのフードピラーが、前記フードを接続するために、前記プラットフォームの上にあることを特徴とする請求項１に記載のバーナ。
【請求項５】
前記安定化機構の２つの前記シェルフスライスが、平行であり、開放部が、前記安定化機構の上にあり、底部が、前記接続部分の上にあり、ばねの前部凸型ファスナが、前記圧電モジュール装置の前記モジュラ本体の底部にあるファスナスロットの上に固定され、凸型シェルリブが、それぞれ、２つの前記シェルフスライスの内側にあるクロスピースに接するように、下部シェルの前部および後部にあることを特徴とする請求項１に記載のバーナ。
【請求項６】
２つの前記モジュラ本体が、上部シェルおよび下部シェルからなり、突出フックが、前記押しボタンの前部にあり、前記上部シェルの開放部のへりが、ストッパであり、シェルリブが、それぞれ、前記下部シェルの前部および後部にあり、前記シェルスライスの内壁が、ガイダおよびストッパであることを特徴とする請求項１に記載のバーナ。
【請求項７】
前記フードが、前記プラットフォームの上に配置されるように、突き錐キャップの形状をしており、前記バーナキャップが、前記フードの中央にあり、いくつかの通気穴が、前記フードの上にあることを特徴とする請求項１に記載のバーナ。
【請求項８】
前記バーナキャップが、中空ピラーで前記フードに接続され、底部プレートが、前記バーナキャップの上部に接続され、フィルタネットが、外部物体が混入するのを回避するために、前記中空ピラーの上にあり、空気散乱プレートおよび空気散乱ネットが続き、かつ前記底部プレートの上に固定され、前記フィルタネットを通過した気化燃料および空気が、前記散乱プレートによって分散されて、前記散乱プレートのプレート穴から注入されることを特徴とする請求項１に記載のバーナ。
【請求項９】
前記バーナキャップが、中空ピラーで前記フードに接続され、前記中空ピラーが、上の底部プレートに接続され、空気散乱プレートおよび空気散乱ネットが続き、かつ前記底部プレートの上に固定され、フィルタネットが、外部物体の混入を回避するために、前記中空ピラーの上にあり、空気散乱プレートおよび空気散乱ネットが続き、かつ前記底部プレートの上に固定され、内部ねじ山が、ピラーねじ山とねじ留めされるように前記中空ピラーの底部にあり、前記中空ピラーが、前記ピラーに直接接続され、かつ注入管を覆い、空気入口穴が、空気が入るように前記中空ピラーの上にあることを特徴とする請求項１に記載のバーナ。
【請求項１０】
前記バーナキャップが、中空ピラーで前記フードに接続され、炎出口と、丸歯を有するいくつかの気流分散装置とが、前記中空ピラーの上にある気流ガイドの中央にあり、前記炎出口が、炎を注入し、小さい種火が、前記歯の間隔の上にあり、内部ねじ山が、ピラーねじ山とねじ留めされるように、前記中空ピラーの底部にあり、前記中空ピラーが、前記ピラーに直接接続され、かつ前記注入管を覆い、空気入口穴が、空気が前記中空ピラーに入るように、前記中空ピラーの上にあり、いくつかの側面穴が、前記中空ピラーの上に水平に装備され、かつブロックリングによって囲まれることを特徴とする請求項１に記載のバーナ。
【考案の詳細な説明】
【技術分野】
【０００１】
本考案は、一般にはバーナに関し、より具体的には、より安全かつより容易に目的を維持するように、迅速に本体と組み合わせることができる、または本体から取り外すことができる取外し式圧電装置を有するバーナに関する。
【背景技術】
【０００２】
これまでは、料理および照明を長時間するために、人が燃料を加えてきたことが知られているが、現在、あらゆる種類の燃料およびエネルギー源が利用可能であり、液化ガスが非常に一般的な燃料である。
【０００３】
圧縮液化ガスは、家庭で使用されるだけでなく、タバコのライターにも使用されているが、その理由は、圧縮液化ガスは、きれいで、再充填が容易であるからである。したがって、現在では、ストーブに広く使用されており、他の産業用の応用分野にも使用されている。しかし、ガスバーナおよびヒータのほとんどは、外部点火装置を使用せず、したがって、圧電装置を有する。使用者は、圧電装置を押して静電スパークを生成して、導電性ワイヤを通過させ、ガス拡散バーナヘッドまたは着火機構から漏れた組合わせ燃料ガスを点火することができる。本出願人の米国特許第５，５７３，３９３号は、明確な例である。
【考案の開示】
【考案が解決しようとする課題】
【０００４】
上述した圧電装置は、長時間押された後、損傷する可能性がある。圧電装置は、内部に構築され、使用者が交換するのは容易ではない。使用者は、修理するために、製造業者または販売代理店に依拠しなければならず、これにより不都合が生じる。
【０００５】
したがって、圧電装置およびバーナを自由かつ柔軟に、組み合わせかつ取り外すことができる場合、使用者は、交換および修理の不都合を克服することができる。圧電装置が使用されていない間、使用者は、子供による誤使用を回避するために、圧電装置を取り出すことができる。
したがって、本考案の主な目的は、周囲の適切な位置から伸張する安定化機構を有するバーナを提供することである。
【課題を解決するための手段】
【０００６】
安定スロットが、接続部分を有する２つのシャフトスライスの間にある。圧電装置は、一緒に接続される２つのシェル本体を備えるモジュラ本体である。圧電モジュールが、モジュラ本体の内部にあり、圧電モジュールの一端が、シェルから伸張し、かつシャフトに接し、他端が、押しボタンに接続される。導電ロッドが、圧電モジュールから接続され、導電ロッドは、バーナキャップから離れている。組合わせ物が、シャフトスライスに対応する位置にある。モジュラ本体は、組合わせ物とシャフトスライスとの組合わせまたは取外しによって、安定スロットと組み合わせる、または安定スロットから取り外すことができる。使用者は、押しボタンを押して、圧電モジュールの導電ロッドとバーナキャップとの間にスパークをトリガして、燃料に点火することができる。
さらに、本考案のバーナについて詳述すると、
安定化機構を適切な位置に有するバーナであって、前記安定化機構が、安定スロットを形成する２つのシェルフスライスを有し、前記シェルフスライスが、間に伸張する接続部分を有し、圧電装置が、圧電モジュールを内部に有する２つのシェルを供えるモジュラ本体であり、前記圧電モジュールの内端が、前記主本体に接し、他端が、押しボタンの回りに巻かれ、かつ伸張する導電ロッドを有し、前記導電ロッドが、バーナキャップから離れており、強化スライスが、前記接続部分に対応し、前記モジュラ本体が、自由に前記安定スロットから取り外され、または前記安定スロットに接合され、前記接続部分が、前記強化スライスに固定され、または前記強化スライスから取り外され、使用者が、前記押しボタンを押して、前記導電ロッド前記バーナキャップとの間にスパークを生成して燃料に点火することからなる。
又、前記バーナが、担持ラックを備え、前記担持ラックの中央が、前記格納タンクに接続され、燃料が、前記担持ラックの流体トンネルの中に充填されて、注入管から注入されることが好適である。
又、シャフトが、それぞれ、上にねじ穴を有する前記担持ラックの両側面から突出し、かつフードに接続され、少なくとも１つの突出点が、接触面積をより小さくするために前記フードの内壁に接するように、前記シャフトの上にかつ前記ねじ穴に隣接してあることが好適である。
又、プラットフォームを備える前記バーナが、前記注入管および前記シャフトが通過するように、前記格納タンクの上に固定され、少なくとも２つのフードピラーが、前記フードを接続するために、前記プラットフォームの上にあることが好適である。
又、前記安定化機構の２つの前記シェルフスライスが、平行であり、開放部が、前記安定化機構の上にあり、底部が、前記接続部分の上にあり、ばねの前部凸型ファスナが、前記圧電モジュール装置の前記モジュラ本体の底部にあるファスナスロットの上に固定され、凸型シェルリブが、それぞれ、２つの前記シェルフスライスの内側にあるクロスピースに接するように、下部シェルの前部および後部にあることが好適である。
又、２つの前記モジュラ本体が、上部シェルおよび下部シェルからなり、突出フックが、前記押しボタンの前部にあり、前記上部シェルの開放部のへりが、ストッパであり、シェルリブが、それぞれ、前記下部シェルの前部および後部にあり、前記シェルスライスの内壁が、ガイダおよびストッパであることが好適である。
又、前記フードが、前記プラットフォームの上に配置されるように、突き錐キャップの形状をしており、前記バーナキャップが、前記フードの中央にあり、いくつかの通気穴が、前記フードの上にあることが好適である。
又、前記バーナキャップが、中空ピラーで前記フードに接続され、底部プレートが、前記バーナキャップの上部に接続され、フィルタネットが、外部物体が混入するのを回避するために、前記中空ピラーの上にあり、空気散乱プレートおよび空気散乱ネットが続き、かつ前記底部プレートの上に固定され、前記フィルタネットを通過した気化燃料および空気が、前記散乱プレートによって分散されて、前記散乱プレートのプレート穴から注入されることが好適である。
又、前記バーナキャップが、中空ピラーで前記フードに接続され、前記中空ピラーが、上の底部プレートに接続され、空気散乱プレートおよび空気散乱ネットが続き、かつ前記底部プレートの上に固定され、フィルタネットが、外部物体の混入を回避するために、前記中空ピラーの上にあり、空気散乱プレートおよび空気散乱ネットが続き、かつ前記底部プレートの上に固定され、内部ねじ山が、ピラーねじ山とねじ留めされるように前記中空ピラーの底部にあり、前記中空ピラーが、前記ピラーに直接接続され、かつ注入管を覆い、空気入口穴が、空気が入るように前記中空ピラーの上にあることが好適である。
又、前記バーナキャップが、中空ピラーで前記フードに接続され、炎出口と、丸歯を有するいくつかの気流分散装置とが、前記中空ピラーの上にある気流ガイドの中央にあり、前記炎出口が、炎を注入し、小さい種火が、前記歯の間隔の上にあり、内部ねじ山が、ピラーねじ山とねじ留めされるように、前記中空ピラーの底部にあり、前記中空ピラーが、前記ピラーに直接接続され、かつ前記注入管を覆い、空気入口穴が、空気が前記中空ピラーに入るように、前記中空ピラーの上にあり、いくつかの側面穴が、前記中空ピラーの上に水平に装備され、かつブロックリングによって囲まれることが好適である。
【考案を実施するための最良の形態】
【０００７】
本考案の上述した目的の達成は、本考案の実施形態を例示的に開示している以下の記述および添付の図面から明らかになるであろう。
【０００８】
図１から４を参照すると、本考案は、格納タンク１と、供給ラック２と、制御装置３と、プラットフォーム４と、圧電装置５と、フード６と、バーナキャップ７とからなる。各構成要素の機能について、以下に記述する。
【０００９】
格納タンク１は、燃料の容器である。上部にあるタンク穴１１は、担持ラック２に堅固に接続される（たとえばねじ留めされる）。供給ラック２のピラー２１は、格納タンク１の接続穴１２の上にある。充填コネクタ１３が、接続穴１２を通過して、ピラー２１のピラー穴２１１にねじ留めされる。液化ガスなどの燃料は、ピラー穴２１１の下にあるピラーダクト２１２から流れて、格納タンク１に入ることができる。
【００１０】
担持ラック２は、ラックの形状をしている。ピラー２１の底部は、ピラーねじ山２１３で接続穴１２に接続される。燃料は、制御装置３によって燃料の量を制御し、かつオン／オフするために、本出願人の米国特許第５，５７３，３９３号に記載されているように、流体トンネル２２に入り、流体調整装置２３を通過する。中空ピラー２４が、担持ラック２の上にあり、流体トンネル２２に接続され、注入管２５が、気化燃料を注入するために、中空ピラー２４の上にある。シャフト２６が、それぞれ、担持ラック２の両側面から突出し、フード６に接続される。熱絶縁のために、少なくとも１つの突出点２６２が、シャフト２６の上にあり、フード６の内壁と接触するようにねじ穴２６１と隣接する。
【００１１】
制御装置３は、本出願人の米国特許第５，５７３，３９３号に記載された装置と同じである。制御装置３は、制御ロッド３１と、遮断バルブ３２と、ノブ３３とを備える。遮断バルブ３２は、流体トンネル２２の１つの出口の上に固定され、かつ制御ロッド３１にねじ留めされる。使用者がノブ３３を回したとき、制御ロッド３１は、燃料の量をターンオン／オフし、かつ制御するために、遮断バルブ３２の入口を開き、閉じ、また制御する。
【００１２】
プラットフォーム４は、カバーの形状をしており、２つのカバー穴４１は、それぞれ、シャフト２６および注入管２５が伸張するように、シャフト２６および注入管２５の位置に対応する。プラットフォーム４を格納タンク１の上に堅固に安定させるために、固定機構４２が、中空ピラー２４のピラーねじ山２４１で固定される。少なくとも２つのフードピラー４３が、図４または図５に示すように、フード６を接続するために、プラットフォーム４の上にある。いくつかの斜めほぞ４４が、フード６を保持するために、プラットフォーム４の上部周囲の回りにある。
【００１３】
安定スロット４５２を形成する２つのシェルフスライス４５１を有する安定化機構４５が、圧電装置５を安定に配置するために、プラットフォーム４のへりから伸張し、２つのシェルフスライス４５１の底部は、バックルを有するばねなど、伸張する接続部分４５３を有する。シェルフスライス４５１の接続効果を強化するために、強化スライス４５４が、シェルフスライス４５１の外側面の間に接続される。シェルフスライス４５１の端部は、開いて曲がり、プレススライス４５５を形成し、使用者は、指でそれを押すことができる。流体調整装置２３を調節する目的で、制御ロッド３１が伸張するために、または手工具をプラットフォーム４に挿入するために、制御ロッド３１および流体調整装置２３にそれぞれ対応する凹型スロット４６が、プラットフォーム４の周囲にある。
【００１４】
圧電装置５は、一緒に接続される上部シェル５２および下部シェル５３を備えるモジュラ本体５１である。圧電モジュール５４が、モジュラ本体５１の内部にあり、圧電モジュール５４の一端は、下部シェル５３から伸張して、シャフト２６に接する。上部シェル５２の他の開放部は、押しボタン５５の回りに巻かれる。ボタンフック５５１が、上部シェル５２の内部にある凸型ストッパ５２１の上に掛けられるように、押しボタン５５の前部にある。押しボタン５５が後方にはね返ったとき、凸型ストッパ５２１は、押しボタン５５がはずれるのを防止する。ファスナスロットなどの組合わせ物５３１が、下部シェル５３の底部にあり、モジュラ本体５１が安定スロット４５２に挿入されたとき、組合わせ物５３１は、接続部分４５３と堅固に座屈する。凸型シェルリブ５３２が、それぞれ、シェルフスライス４５１の内側にあるクロスプレス４５６と接するように、下部シェル５３の前部および後部にあり、それにより、モジュラ本体５１は、プラットフォーム４からはずれることはない。使用者が押しボタン５５を押したとき、押しボタン５５の他端が、シャフト２６によって押されて接し、静電気が生成される。静電気は、上部シェル５２の上にある「Ｌ」型導電ロッド５６によって伝達され、バーナキャップ７の上でスパークを生成して、燃料に点火する。
【００１５】
圧電装置５は、迅速かつ都合よく、プラットフォーム４から取り外し、かつプラットフォーム４と組み合わせることができる。圧電モジュール５４は、都合よく修理および装備することができる。使用していない間、使用者は、圧電モジュール５４を引き出して、「鍵」として機能させることができる。圧電モジュール５４が外されている間に、外部物体がプラットフォーム４に混入しないようにするために、スタッフシェル８１およびスタッフリブ８２を有するスタッフ本体８を安定スロット４５２の上に装備することができ、スタッフ本体８は、凸型壁８３で開放部を封止する。
【００１６】
フード６は、突き錐のキャップの形状をしており、フード６は、プラットフォーム４がバーナキャップ７と組み合わされた後、プラットフォーム４の上に配置される。フード６の内壁は、斜めほぞ４４と固着する。フード開放部６１が、圧電装置５の位置に対応する。いくつかの換気穴６２が、空気が入るようにフード６の上にあり、空気は、注入管２５によって注入された気化燃料と共にバーナキャップ７に入る。いくつかのねじ６３が、ねじ穴２６１を通過して、ねじ穴２６１の上に固定される。
【００１７】
フード６ａの他の応用例を示す図５ａから６ｂを参照すると、６ａの高さは、記述したフード６の高さより低い。フード６ａは、フード穴６２ａを通過するねじ６３ａによってフードピラー４３の上に固定され、空気が、フード開放部６１ａに接続されたフード穴６２ａから入る。シャフト２６は、フード６ａが適用されている間、高さがより低いために使用されない。
【００１８】
図１から４を参照すると、バーナキャップ７は、ねじまたはボタンで固定された中空ピラー７１でフード６に接続される。底部プレート７２は、つめまたはボタンで固定されたバーナキャップ７の上部に接続される。外部物体が混入するのを回避するために、フィルタネット７３が、中空ピラー７１の上にある。空気散乱プレート７４および空気散乱ネット７５が続き、底部プレート７２の上に固定される。フィルタネット７３を通過した気化燃料および空気は、散乱プレートによって分散され、散乱プレート７４のプレート穴７４１から注入される。同時に、導電ロッド５６は、燃料を点火するために、電気スパークを生成する。
【００１９】
バーナキャップ７ａの他の応用例を示す図５ａおよび５ｂを参照すると、バーナキャップ７ａは、上述した本考案により、フード６ａに接続される。中空ピラー７１ａが、上にある底部プレート７２ａに接続される。空気散乱プレート７４ａおよび空気散乱ネット７５ａが続き、底部プレート７２ａの上に固定される。空気散乱プレート７４ａおよびプレート穴７４１ａは、上述したものと同じであるが、唯一の違いは、内部ねじ山７１１ａが、ピラーねじ山２４１とねじ留めされるように、中空ピラー７１ａの底部にあることである。それにより、中空ピラー７１ａは、ピラー２４に直接接続して、注入管２５を覆うことができる。空気が中空ピラー７１ａに入るように、空気入口穴７１２ａが、中空ピラー７１ａの上にある。
【００２０】
バーナキャップ７ｂおよびフード６ａの第３の応用例を示す図６ａおよび６ｂを参照すると、炎出口７２１ｂと、丸歯７２２ｂを有するいくつかの気流分配装置７２ｂとが、中空ピラー７１ｂの上にある気流ガイド７１１１ｂの中央にある。そのような機構は、炎を注入する炎出口７２１ｂを有することができ、小さい種火は、歯の間隔の上にあり、燃料が少量の間、炎は出て行かない。内部ねじ山７１１ｂが、ピラーねじ山２４１とねじ留めされるように、中空ピラー７１ｂの底部にあり、それにより、中空ピラー７１ａは、ピラー２４と直接接続して、注入管２５を覆うことができる。空気が中空ピラー７１ｂに入るように、空気入口穴７１３ｂが、中空ピラー７１ｂの上にある。いくつかの側面穴７１４ｂが、中空ピラー７１ｂの上に水平に装備され、ブロックリング７１５ｂによって囲まれており、燃料が大量のとき、そのような構成は、種火効果も形成することができる。
【００２１】
上記の記述に基づいて、第３の応用例を自由にバーナから取り外し、かつバーナに接合することができ、使用者は、容易に修理または交換をすることができる。シャフトの上の突出点は、より良好な熱絶縁効果のために、フードとプラットフォームとの接触を低減することができる。圧電装置を取り出して、安定スロットを封止するためにスタッフ本体を有することができ、そのような機構は、予測できない危険を回避する炎始動装置を必要とせずに、子供の誤使用を回避することができる。
【００２２】
本考案の好ましい実施形態について示し、詳細に記述してきたが、本考案の精神および範囲から逸脱せずに、多くの割愛、変更、および追加を実施することが可能であることが容易に理解され、かつ認識されるであろう。
【図面の簡単な説明】
【００２３】
【図１】本考案の分解図である。
【図２】本考案の他の実施形態の分解図である。
【図３】本考案の横断面図である。
【図４】本考案の透視図である。
【図５ａ】本考案の他の実施形態の第２応用例の図である。
【図５ｂ】本考案の他の実施形態の第２応用例の図である。
【図６ａ】本考案の他の実施形態の第３応用例の図である。
【図６ｂ】本考案の他の実施形態の第３応用例の図である。
【符号の説明】
【００２４】
１  格納タンク
２  担持ラック
３  制御装置
４  プラットフォーム
５  圧電装置
６、６ａ  フード
７、７ａ、７ｂ  バーナキャップ
８  スタッフ本体
１１  タンク穴
１２  接続穴
１３  充填コネクタ
２１  ピラー
２２  流体トンネル
２３  流体調整装置
２４  中空ピラー
２５  注入管
２６  シャフト
３１  制御ロッド
３２  遮断バルブ
３３  ノブ
４１  カバー穴
４２  固定機構
４３  フードピラー
４４  斜めほぞ
４５  安定化機構
４６  凹型スロット
５１  モジュラ本体
５２  上部シェル
５３  下部シェル
５４  圧電モジュール
５５  押しボタン
５６  導電ロッド
６１ａ  フード開放部
６２  換気穴
６３、６３ａ  ねじ
７１、７１ａ、７１ｂ  中空ピラー
７２、７２ａ  底部プレート
７２ｂ  気流分配装置
７３  フィルタネット
７４、７４ａ  空気散乱プレート
７５、７５ａ  空気散乱ネット
８１  スタッフシェル
８２  スタッフリブ
８３  凸型壁
２１１  ピラー穴
２１２  ピラーダクト
２１３、２４１  ピラーねじ山
２６１  ねじ穴
２６２  突出点
４５１  シェルフスライス
４５２  安定スロット
４５３  接続部分
４５４  強化スライス
４５５  プレススライス
４５６  クロスピース
５２１  凸型ストッパ
５３２  凸型シェルリブ
５５１  ボタンフック
７１１ａ、７１１ｂ  内部ねじ山
７１２ａ、７１３ｂ  空気入口穴
７１４ｂ  側面穴
７１５ｂ  ブロックリング
７２１ｂ  炎出口
７２２ｂ  丸歯
７４１、７４１ａ  プレート穴
【図１】
0003102696.tif 000003
【図２】
0003102696.tif 000004
【図３】
0003102696.tif 000005
【図４】
0003102696.tif 000006
【図５ａ】
0003102696.tif 000007
【図５ｂ】
0003102696.tif 000008
【図６ａ】
0003102696.tif 000009
【図６ｂ】
0003102696.tif 000010